(57)【特許請求の範囲】
【請求項１】
筐体と、前部に開口部を有し前記筐体内に設けられる洗浄槽と、前記開口部を閉塞する扉体とを備え、前記扉体は、前側の外郭部と、後側で前記洗浄槽の前壁となる内壁部とを組み合わせて構成されるとともに内部に内部空間を有し、前記外郭部は、不透明な樹脂で成形されたベース部品と、前記ベース部品の所定範囲の前面に覆い重なるように装着される透明な樹脂で成形された外観部品とを有し、前記外観部品は、少なくとも上部の上側端部が前記ベース部品に当接するように固定され、第１の隙間が前記上側端部と前記ベース部品との当接により形成され、第２の隙間が前記外観部品と重なる前記ベース部品の前面に形成され、
前記第１の隙間は、外部からの水が前記内部空間に浸入するように、外部から前記扉体の前記内部空間に連通して開放され、
前記第２の隙間は、外部からの水が前記第１の隙間を介して前記第２の隙間に直接浸入しないように、前記内部空間を介して前記第１の隙間と連通するように構成されたことを特徴とする食器洗い機。
【請求項２】
前記外観部品の前記上側端部の近傍に実質的に全幅にわたって突出した挿入部が形成され、
前記ベース部品は、前記挿入部が挿入されるスリットを備え、前記スリットは前記内部空間に貫通し、
前記挿入部が前記スリットに挿入されたとき、前記挿入部は前記スリットから前記内部空間に突出するように構成された請求項１に記載の食器洗い機。
【請求項３】
前記スリットを跨ぐリブが形成され、前記リブは、挿入された前記挿入部の先端を回り込むように形成された請求項２に記載の食器洗い機。
【請求項４】
前記扉体は、前記第１の隙間を含む前記外観部品と前記ベース部品との当接部、または前記外郭部と前記内壁部との当接部から前記内部空間に浸入した水分を排出する排出口を有する請求項１〜３のうちいずれか１項に記載の食器洗い機。
【請求項５】
さらに、前記第１の隙間に連通を妨げるシール部材が設けられ、前記第１の隙間が外部か
ら前記扉体の前記内部空間に連通している状態を妨げるように構成された請求項１〜４のうちいずれか１項に記載の食器洗い機。
【請求項６】
さらに、前記第２の隙間に連通を妨げるシール部材が設けられた請求項１〜５のうちいずれか１項に記載の食器洗い機。
【発明の詳細な説明】
【技術分野】
【０００１】
本発明は食器類を洗浄する食器洗い機に関する。
【背景技術】
【０００２】
従来の食器洗い機は、扉体の前面に透明な外観部品を設け、洗浄槽の状態を観察できるように構成されているものがある（例えば、特許文献１参照）。また、洗浄槽の内部を見るものではなく、着色した透明の外観部品を重ねて装着することで、意匠性の向上を図ったものがある。
【０００３】
図８は、従来の食器洗い機の側面断面図である。図８に示されるように、食器洗い機は、筐体１内に食器類２を収容する洗浄槽３が設けられ、前面に食器類２が出し入れされる開口部３ａを有する。この開口部３ａを開閉する扉体４が、上扉体４ａと下扉体４ｂとに２分割して配設されている。上扉体４ａは筐体１の上方に開き、下扉体４ｂは下端を軸にして前方に開く。開口部３ａと扉体４の間、および、上扉体４ａと下扉体４ｂとの間には、洗浄運転中に洗浄水や蒸気が漏れないように、シール部品４ｃが設けられている。
【０００４】
洗浄槽３内には、食器類２が戴置される食器かご５が上下２段に設けられている。それぞれの食器かご５の下側に洗浄ノズル６が設けられている。洗浄槽３の下側には、水道に接続されて洗浄水を供給する給水装置７と、洗浄槽３に溜められた洗浄水を加圧して洗浄ノズル６に送水する洗浄ポンプ８と、洗浄槽３内に外気を導入する送風装置９とが配設されている。洗浄ノズル６は、洗浄ポンプ８に接続され、回転しながら加圧された洗浄水を食器類２に向けて噴射する。ヒータ１０が洗浄槽３内の底部に配設されている。ヒータ１０は、洗い工程において循環する洗浄水を加熱し、乾燥工程において送風装置９によって送風される空気を加熱する。また、制御装置１１が扉体４の下方に設けられている。制御装置１１は、給水装置７、洗浄ポンプ８、送風装置９、ヒータ１０などを制御し、食器洗い機の一連の洗浄運転を実行する。
【０００５】
図９は、従来の食器洗い機の下扉体上部の断面斜視図である。図９に示されるように、下扉体４ｂは、前側の外郭部１２と、後側で洗浄槽の前壁となる内壁部１３とを組み合わせて内部に内部空間１４を有するように構成されている。外郭部１２は、不透明な樹脂で成形されたベース部品１５と、ベース部品１５の前面に覆い重なるように装着される透明な樹脂で成形された外観部品１６とを有している。外観部品１６は、少なくとも上部の上側端部１６ａがベース部品１５に当接するように固定されている。そして、外観部品１６とベース部品１５との隙間Ｇは、上側端部１６ａから下部まで連続して形成されている。このようにして、外観部品１６が意匠性を向上するように構成されていた。
【先行技術文献】
【特許文献】
【０００６】
【特許文献１】特開２００５−１４３５１６号公報
【発明の概要】
【発明が解決しようとする課題】
【０００７】
しかしながら、前記従来の構成では、使用者が食器類を戴置するときに扉体に水滴を落したり、上扉体と下扉体とのシール部の隙間から蒸気が漏れたりすることがある。このような水分が、扉体を構成する透明な外観部品とベース部品との隙間に付着すると、毛細管現象などによって隙間の内部に水分が浸入する場合がある。このようにしてわずかな水分でも隙間に浸入すると、通常は水分が見えなくても、外気温などの条件によって透明な外
観部品の裏面に結露するという問題があった。
【０００８】
また、この問題を解決するため、図８に示されるように、隙間の所定の位置に、接着剤やシール材などの防水部品Ｓが設けられていた。しかしながら、透明な外観部品を介して防水部品が見えるため、意匠性が損なわれる。そこで、外観部品による意匠性を維持するため、さらに防水部品を隠すための印刷を施したり、外観部品の透明度を下げたりしていた。このように、水分の浸入対策のために防水部品や印刷などの多くの部品が必要であり、コスト上昇の課題はもちろんのこと、確実な防水性と意匠性を実現するため、組立性および組立管理が課題であった。
【０００９】
本発明は、前記従来の課題を解決するもので、簡易な構成で外観部品の裏面に結露することを防止し、高い意匠性を実現できる食器洗い機を提供する。
【課題を解決するための手段】
【００１０】
前記従来の課題を解決するために、本発明の食器洗い機は、扉体が、前側の外郭部と、後側で前記洗浄槽の前壁となる内壁部とを組み合わせて構成されるとともに内部に内部空間を有し、前記外郭部は、不透明な樹脂で成形されたベース部品と、前記ベース部品の所定範囲の前面に覆い重なるように配設される透明な樹脂で成形された外観部品とを有し、前記外観部品は、少なくとも上部の上側端部が前記ベース部品に当接するように固定され、第１の隙間が前記上側端部と前記ベース部品との当接により形成され、第２の隙間が前記透明部品と重なる前記ベース部品の前面に形成され、前記第１の隙間は、外部からの水が前記内部空間に浸入するように、外部から前記扉体の前記内部空間に連通して開放され、前記第２の隙間は、外部からの水が前記第１の隙間を介して前記第２の隙間に直接浸入しないように、前記内部空間を介して前記第１の隙間と連通するように構成されたことを特徴とする。
【００１１】
この構成よって、第１の隙間から水分が浸入したとしても、水分は扉体の内部空間まで浸入するだけで、第２の隙間には直接浸入しない。これにより、外気温の変化などがあっても、透明な外観部品の裏面に結露することが抑制される。そして、余分な防水部品や印刷などが不要であり、コストの上昇を防止するとともに、簡易な構成で組立性の向上を図ることができる。
【発明の効果】
【００１２】
簡易な構成で第１の隙間から浸入した水分が第２の隙間に直接浸入しないようにして、外観部品の裏面に結露することを防止し、高い意匠性を実現可能な食器洗い機を提供することができる。
【図面の簡単な説明】
【００１３】
【図１】本発明の実施の形態１における食器洗い機の斜視図
【図２】本実施の形態における食器洗い機の側面断面図
【図３】本実施の形態における食器洗い機の扉体が閉塞された状態における上扉体下部と下扉体上部の要部側面断面図
【図４】本実施の形態における食器洗い機の下扉体の分解斜視図
【図５】本実施の形態における食器洗い機の下扉体上部の断面斜視図
【図６】本実施の形態における食器洗い機の下扉体のベース部の裏側上部を下から見た要部斜視図
【図７】実施の形態２における食器洗い機の下扉体上部の断面斜視図
【図８】従来の食器洗い機の側面断面図
【図９】従来の食器洗い機の下扉体上部の断面斜視図
【発明を実施するための形態】
【００１４】
第１の発明の食器洗い機は、筐体と、前部に開口部を有し前記筐体内に設けられる洗浄槽と、前記開口部を閉塞する扉体とを備え、前記扉体は、前側の外郭部と、後側で前記洗浄槽の前壁となる内壁部とを組み合わせて構成されるとともに内部に内部空間を有し、前記外郭部は、不透明な樹脂で成形されたベース部品と、前記ベース部品の所定範囲の前面に覆い重なるように装着される透明な樹脂で成形された外観部品とを有し、前記外観部品は、少なくとも上部の上側端部が前記ベース部品に当接するように固定され、第１の隙間が前記上側端部と前記ベース部品との当接により形成され、第２の隙間が前記透明部品と重なる前記ベース部品の前面に形成され、前記第１の隙間は、外部からの水が前記内部空間に浸入するように、外部から前記扉体の前記内部空間に連通して開放され、前記第２の隙間は、外部からの水が前記第１の隙間を介して前記第２の隙間に直接浸入しないように、前記内部空間を介して前記第１の隙間と連通するように構成されたことを特徴とするものである。
【００１５】
この構成によって、第１の隙間から水分が浸入したとしても、水分は扉体の内部空間まで浸入するだけで、第２の隙間には直接浸入しない。これにより、外気温の変化などがあっても、透明な外観部品の裏面に結露することが抑制される。そして、余分な防水部品や印刷が不要であり、コストの上昇を防止するとともに、簡易な構成で組立性の向上を図ることができる。
【００１６】
第２の発明は、特に第１の発明において、前記外観部品の前記上側端部の近傍に実質的に全幅にわたって突出した挿入部が形成され、前記ベース部品は、前記挿入部が挿入されるスリットを備え、前記スリットは前記内部空間に貫通し、前記挿入部が前記スリットに挿入されたとき、前記挿入部は前記スリットから前記内部空間に突出するように構成されたものである。これによって、前記第１の隙間は、外部から前記扉体の前記内部空間に連通するとともに、突出した挿入部が第１の隙間と第２の隙間との空間距離を大きくする。したがって、第１の隙間へ浸入した水分は確実に内部空間に導かれ、第２の隙間へ浸入することをより効果的に防止することができる。
【００１７】
第３の発明は、特に第２の発明において、前記スリットを跨ぐリブが形成され、前記リブは、挿入された前記挿入部の先端を回り込むように形成されたものである。これによって、挿入部とスリットを分割せずに連続して形成することができる。また、スリットを補強して隙間の寸法を維持することができる。
【００１８】
第４の発明は、特に第１〜第３のいずれかの発明において、前記扉体は、前記第１の隙間を含む前記外観部品と前記ベース部品との当接部、または前記外郭部と前記内壁部との当接部から前記内部空間に浸入した水分を排出する排出口を有するものである。これによって、第１の隙間から内部空間に水分が浸入したとしても、速やかに排出することができる。
【００１９】
第５の発明は、特に第１〜第４のいずれかの発明において、さらに、前記第１の隙間に連通を妨げるシール部材が設けられ、前記第１の隙間が外部から前記扉体の前記内部空間に連通している状態を妨げるように構成されたものである。これによって、外部から第１の隙間を通じて浸入してきた水分は、内部空間に浸入することが抑制される。したがって、第２の隙間に水分が浸入して外観部品１６の裏面に結露が生じることをさらに防止することができる。
【００２０】
第６の発明は、特に第１〜第５のいずれかの発明において、さらに、前記第２の隙間に連通を妨げるシール部材が設けられたものである。これによって、第２の隙間に水分が浸入して外観部品１６の裏面に結露が生じることをさらに防止することができる。
【００２１】
以下、本発明の実施の形態について、図を参照しながら説明する。なお、この実施の形態によって本発明が限定されるものではない。
【００２２】
（実施の形態１）
図１〜図６は、本発明の実施の形態１における食器洗い機を示す。この食器洗い機は、キッチンカウンタの上などに設置される卓上型食器洗い機である。図面の符号は、従来の技術で示したものと同じ構成は同じ符号を用いて説明する。
【００２３】
図１は、本実施の形態における食器洗い機の斜視図である。図２は、本実施の形態における食器洗い機の側面断面図である。図３は、本実施の形態における食器洗い機の扉体が閉塞された状態における上扉体下部と下扉体上部の要部側面断面図である。
【００２４】
図１〜図３に示されるように、食器洗い機は、筐体１内に食器類２を収容する洗浄槽３が設けられ、前面に食器類２が出し入れされる開口部３ａを有する。この開口部３ａを開閉する扉体４が、上扉体４ａと下扉体４ｂとに上下に２分割して配設されている。上扉体４ａは筐体１の上方に開き、下扉体４ｂは下端を軸にして前方に開く。上扉体４ａの下端にはシール部品４ｃが取り付けられている。シール部品４ｃは、洗浄槽３内で噴射される洗浄水、および洗浄水が加熱されて発生する蒸気を外部に漏らさないよう上扉体４ａと下扉体４ｂとの間をシールする。
【００２５】
洗浄槽３内には、食器類２が戴置される食器かご５が上下２段に設けられている。それぞれの食器かご５の下側に洗浄ノズル６が設けられている。洗浄槽３の下側には、水道に接続されて洗浄水を供給する給水装置７と、洗浄槽３に溜められた洗浄水を加圧して洗浄ノズル６に送水する洗浄ポンプ８と、洗浄槽３内に外気を導入する送風装置９とが配設されている。洗浄ノズル６は、洗浄ポンプ８に接続され、回転しながら加圧された洗浄水を食器類２に向けて噴射する。ヒータ１０が洗浄槽３内の底部に配設されている。ヒータ１０は、洗い工程において循環する洗浄水を加熱し、乾燥工程において送風装置９によって送風される空気を加熱する。
【００２６】
また、制御装置１１が扉体４の下方に設けられている。制御装置１１は、給水装置７、洗浄ポンプ８、送風装置９、ヒータ１０などを制御し、食器洗い機の一連の洗浄運転を実行する。
【００２７】
上扉体４ａおよび下扉体４ｂの構成を図３〜図６を参照しながら詳細に説明する。図４は、本実施の形態における食器洗い機の下扉体の分解斜視図である。図５は、本実施の形態における食器洗い機の下扉体上部の断面斜視図である。図６は、本実施の形態における食器洗い機の下扉体のベース部の裏側上部を下から見た要部斜視図である。なお、図４〜図６に下扉体４ｂを示してこれに基づいて説明するが、上扉体４ａも基本的には下扉体４ｂと同様に構成されている。
【００２８】
図３〜図５に示されるように、扉体４は、前側の外郭部１２と、後側で洗浄槽３の前壁となる内壁部１３とを組み合わせて内部に内部空間１４を有するように構成されている。外郭部１２は、不透明なＡＢＳ（アクリルニトリル・ブタジエン・スチレン）などの樹脂で成形されたベース部品１５と、ベース部品１５の前面に覆い重なるように装着される透明なＡＢＳなどの樹脂で成形された外観部品１６とを有している。外観部品１６は、少なくとも上部の上側端部１６ａがベース部品１５の上側端部１５ａに前後方向に当接するように固定されている。
【００２９】
外観部品１６の上側端部１６ａの下部に全幅にわたって後方向へ突出した挿入部１７が形成されている。ベース部品１５は、上側端部１５ａの下部に挿入部１７が挿入されるスリット１８を備えている。スリット１８は外部から内部空間１４に貫通している。挿入部１７が後方向へスリット１８に挿入されると、その先端１７ａがスリット１８の後端より内部空間１４に突出する。そして、係合部１７ｂがベース部品１５に係止されることによって、容易には抜けないように構成されている。
【００３０】
また、図３および図６に示されるように、スリット１８の幅方向の所定の位置に、スリット１８を跨ぐリブ１９が形成されている。リブ１９は、挿入された挿入部１７の先端１
７ａを回り込むように形成されている。これによって、挿入部１７とスリット１８を幅方向で分割せずに連続して形成することができる。また、スリット１８を補強して隙間の寸法を維持することができる。なお、リブ１９と先端１７ａとは当接していないことが望ましいが、これに限られるものではない。
【００３１】
挿入部１７がスリット１８に挿入されると、外観部品１６は上側端部１６ａがベース部品１５に当接するとともに、挿入部１７の上面がベース部品１５に当接するか、もしくは微小な隙間寸法で保持される。このようにして、上側端部１６ａから先端１７ａにかけて第１の隙間２０が形成される。第１の隙間２０は、ＡＢＳなどの一般的な樹脂で成形された外観部品１６とベース部品１５とが当接しているだけなので、水分を通さないほどのシール性はなく、水分が毛細管現象で通過したり、水蒸気が通過したりする程度の微小な隙間寸法を有する。そして、第１の隙間２０は、外部から扉体４の内部空間１４に連通し、内部空間１４に開放されている。
【００３２】
さらに、外観部品１６がベース部品１５の前面に覆い重なるように装着されると、ベース部品１５の前面と外観部品１６の裏面との間に第２の隙間２１が形成される。第２の隙間２１の寸法は、例えば１ｍｍ〜２ｍｍである。この寸法は、第１の隙間２０が当接している状態と比較すると大きいが、内部空間１４と比較すると小さい。また、第２の隙間２１が内部空間１４と連通する連通部２２は、スリット１８に挿入部１７が挿入されたあと、挿入部１７の下面との間に残った隙間であり、隙間寸法は小さい。
【００３３】
食器洗い機が使用されるとき、使用者が食器類２を洗浄槽３内に戴置しようとして扉体４に水滴を落したり、洗浄運転中に上扉体４ａと下扉体４ｂとのシール部品４ｃの隙間から洗浄水や蒸気が漏れたりすることがある。また、使用者が洗浄運転を一時停止して、扉体４を開閉したときなどにも洗浄水が外部に漏れることがある。このような水分が、下扉体４ｂを構成する外観部品１６とベース部品１５とが当接している第１の隙間２０にかかると、毛細管現象などによって内部に水分が浸入する場合がある。特に、外部に漏れる洗浄水や水蒸気は外気に比べ高温であり、さらに洗浄水は洗剤を含んでいるので、毛細管現象が発生しやすく隙間に浸入しやすい。
【００３４】
ただし、ベース部品１５と外観部品１６とは当接しているため、水分が第１の隙間２０から浸入したとしてもその量はわずかであり、下扉体４ｂの内部空間１４の体積に比べて十分に少ない。その上、結露で問題となる外観部品１６の裏面となる第２の隙間２１へ内部空間１４から通じる連通部２２はわずかな隙間寸法しかない。このため、第２の隙間２１に水分が浸入することが抑制される。したがって、外観部品１６の裏面に結露が生じることを防止することができる。
【００３５】
以上説明したように、本実施の形態において、第１の隙間２０は、扉体４の上部から内部空間１４に連通して一旦開放されており、外観部品１６の裏面である第２の隙間２１に直接連通しないように構成されている。したがって、従来の隙間が連通した構成のように、接着剤やスポンジなどの防水部品を必要としない。このため、透明な外観部品１６から防水部品が見えないように、外観部品１６に印刷を施したり外観部品１６の透明度を下げたりすることが不要であり、簡易な構成で高い意匠性を実現できる。また、余分なコスト上昇もなく、組立性や組立管理も容易になり結露の問題だけでなく、その他の品質の問題も発生しにくい。
【００３６】
なお、本実施の形態において、スリット１８のリブ１９が挿入部１７の先端１７ａを回り込むように形成され、挿入部１７は全幅にわたって形成されているが、これに限定されるものではない。例えば、スリット１８を分割するようにリブを設けてもよく、その場合は挿入部も分割されることになる。このような形態ではリブが少ないことが望ましいが、
挿入部１７が実質的に全幅にわたって形成されていればよい。
【００３７】
また、挿入部１７が前方から後方向へ挿入されるように挿入部１７とスリット１８が形成されているが、例えば、上方から挿入するように形成され、前方にずれたり外れないように構成されてもよい。
【００３８】
さらに、本実施の形態では、扉体の上側について挿入部１７が形成されるようにしたが、これに限定されるものではない。例えば、水滴が側面に流れて浸入するようであれば、側面も上側と同様に挿入部１７が形成され、隙間が連続しないように構成されれば、外観部品１６の裏面の結露を防止する効果がより向上する。
【００３９】
また、内部空間１４がベース部品１５と外観部品１６とで形成されるようにしたが、ベース部品１５に独立した内部空間１４が設けられ、第１の隙間２０がこの内部空間１４に連通するように構成されてもよい。内部空間１４の体積は、第２の隙間２１の体積との兼ね合いもあり、実験などを通じて適切な大きさに形成されればよい。
【００４０】
また、外観部品１６は必ずしも扉体４の前面全体に装着されるとは限らず、部分的に装着される場合も含まれる。
【００４１】
また、扉体の内部空間の底部などに水分の排出口が設けられていてもよい。これによって、万一、想定以上の水分が第１の隙間から内部空間に浸入したとしても、速やかに排出することができる。
【００４２】
（実施の形態２）
本施の形態において、実施の形態１の構成の効果をさらに増強する構成について説明する。図７は、本実施の形態における食器洗い機の下扉体上部の断面斜視図である。
【００４３】
図７は、図５で示された構成において、第１の隙間２０に上シール部品２３が設けられ、第２の隙間の入口に下シール部品２４が設けられている。上シール部品２３は、挿入部１７の上面、またはベース部品１５の下面などのいずれに設けられていてもよい。下シール部品２４は、挿入部１７の下面、またはベース部品１５の上面などのいずれに設けられていてもよい。
【００４４】
挿入部１７がスリット１８に挿入されると、外観部品１６は上側端部１６ａがベース部品１５の上側端部１５ａに当接する。そして第１の隙間２０は、上シール部品２３によりシールされ、外部から内部空間１４へ連通することが妨げられる。これによって、外部から第１の隙間２０を通じて浸入してきた水分は、内部空間１４に浸入することが抑制される。したがって、第２の隙間２１に水分が浸入することがさらに抑制される。したがって、外観部品１６の裏面に結露が生じることをさらに防止することができる。
【００４５】
また、挿入部１７がスリット１８に挿入されると、第２の隙間２１の連通部２２は、下シール部品２４によりシールされ、内部空間１４から第２の隙間２１へ連通することが妨げられる。したがって、第２の隙間２１に水分が浸入することがさらに抑制される。したがって、外観部品１６の裏面に結露が生じることをさらに防止することができる。
【００４６】
なお、扉体４は、外郭部１２と内壁部１３との当接部に第３の隙間２５を有する。したがって、水分が第３の隙間２５を介して内部空間１４に浸入する場合がある。下シール部品２４は、第３の隙間２５から浸入してきた水分が第２の隙間２１に浸入することも抑制することができる。
【００４７】
以上説明したように、少なくとも、第１の隙間２０に設けられる上シール部品２３、または、第２の隙間２１の連通部２２に設けられる下シール部品２４のいずれかが設けられることにより、実施の形態１における結露防止の効果をさらに増強することができる。なお、上シール部品２３または下シール部品２４のシール性は完全であることが望ましいが、少しでも連通を妨げて水分が通過することを抑制すれば結露防止の効果は向上する。
【００４８】
なお、上シール部品２３または下シール部品２４により部品数が増加する。しかしながら、これらは扉体４の内部に設けられるため、透明な外観部品１６を介して見えることはない。このため、外観部品１６に印刷を施したり外観部品１６の透明度を下げたりすることは不要である。
【産業上の利用可能性】
【００４９】
以上のように、本発明にかかる食器洗い機は、扉体の前面に透明な外観部品を簡易な構成で設けることによって高い意匠性を実現できるとともに外観部品の裏面に結露することを防止することができるため、透明な外観部品を用いる水使用機器などに有用である。
【符号の説明】
【００５０】
１  筐体
２  食器類
３  洗浄槽
３ａ  開口部
４  扉体
４ａ  上扉体
４ｂ  下扉体
４ｃ  シール部品
５  食器かご
６  洗浄ノズル
７  給水装置
８  洗浄ポンプ
９  送風装置
１０  ヒータ
１１  制御装置
１２  外郭部
１３  内壁部
１４  内部空間
１５  ベース部品
１５ａ  上側端部
１６  外観部品
１６ａ  上側端部
１７  挿入部
１７ａ  先端
１７ｂ  係合部
１８  スリット
１９  リブ
２０  第１の隙間
２１  第２の隙間
２２  連通部
２３  上シール部品
２４  下シール部品
２５  第３の隙間
【図１】
0006531276.tif 000002
【図２】
0006531276.tif 000003
【図３】
0006531276.tif 000004
【図４】
0006531276.tif 000005
【図５】
0006531276.tif 000006
【図６】
0006531276.tif 000007
【図７】
0006531276.tif 000008
【図８】
0006531276.tif 000009
【図９】
0006531276.tif 000010